(57)【特許請求の範囲】
【請求項１】
光を発する面状発光体と、
前記面状発光体の発光面の裏面側に設けられた通風路と、
前記面状発光体に設けられ、前記面状発光体の発光面から前記通風路へ虫を引き入れる吸引口と、
前記通風路から空気を吸引する吸引手段と、
前記吸引手段で吸引された前記空気を通過させ、前記虫を捕獲する捕獲手段と、
を有する捕虫装置。
【請求項２】
前記面状発光体は、光透過性を有する導光板と、前記導光板の端面に取付けられた光源と、を有する請求項１に記載の捕虫装置。
【請求項３】
前記導光板の裏面側に反射シートを取付けた請求項２に記載の捕虫装置。
【請求項４】
前記面状発光体は、電圧をかけると発光する発光性物質で前記発光面を成形した発光パネルである請求項１に記載の捕虫装置。
【請求項５】
前記発光パネルの裏面側に反射シートを取付けた請求項４に記載の捕虫装置。
【請求項６】
前記面状発光体は、紫外光領域の波長で発光する紫外光と、可視光領域の波長で発光する可視光と、を発する請求項１〜５のいずれか１項に記載の捕虫装置。
【請求項７】
前記吸引口は、前記面状発光体を貫通する長穴である請求項１〜６のいずれか１項に記載の捕虫装置。
【請求項８】
前記吸引口は、前記面状発光体を並べて形成した隙間である請求項１〜６のいずれか１項に記載の捕虫装置。
【請求項９】
前記通風路は、一面に前記面状発光体が取付けられた筒体である請求項１〜８のいずれか１項に記載の捕虫装置。
【請求項１０】
前記通風路は、前記面状発光体を筒状として形成された前記筒体の内側である請求項１〜８のいずれか１項に記載の捕虫装置。
【発明の詳細な説明】
【技術分野】
【０００１】
本発明は、光で虫を誘引し、誘引された虫を捕獲する捕虫装置に関する。
【背景技術】
【０００２】
食品や医薬品関連の製造施設においては、製品へ混入する異物の大部分が昆虫である。その中で、屋外から飛来してくる、ユスリカや小型のハエ類などの飛来昆虫群（以下、虫と呼ぶ。）がその上位を占めている。これらの虫を防除するため、建物内に捕虫装置が設置されている。
【０００３】
広く使用されている捕虫装置は、光源（紫外線ランプ）で虫を誘引し、粘着性のシートを光源の近くに広げておき、誘引された虫を粘着性のシートで捕獲する構成である。このため、光源の明るさと粘着性のシートの位置が虫の捕獲性能を左右する。
【０００４】
しかし、光源と粘着性のシートとの間隔は、ある程度離さざるをえないため、捕虫装置の光源に虫が誘引されても、誘引された虫の全てが粘着性のシートの位置まで移動するとは限らず、捕りこぼしが生じていた。
【０００５】
捕りこぼしをなくすため、捕虫装置を増設する方法が考えられるが、設置場所の確保が必要となるため、増設にも限界がある。また、紫外線ランプの数を増した場合、設置場所によっては、外から新たな虫を誘引してしまうという問題も生じる。
【０００６】
そこで、照明器具と捕虫装置を一体化し、捕獲性能の改善を図った害虫防除器具が提案されている（特許文献１）。
図１５に示すように、特許文献１の害虫防除器具１４０は、内部が中空の導光体１４２と、紫外線光源１４３と、可視光源１４５と、を有し、導光体１４２には、導光体１４２の内外を連通する孔部１４６が設けられている。
【０００７】
紫外光Ｌ２は、導光体１４２の外側に設けられた反射層１４８で反射され、反射層１４８が配置されていない側の面から照射され、虫４３を誘引する。誘引された虫４３は、導光体１４２の中の空気を吸引するファン１５２が発生する気流１５４で孔部１４６から導光体１４２内へ引き入れられる。
【０００８】
導光体１４２内へ引き入れられた虫４３は、気流１５４で捕虫ボックス１５１へ誘導され、粘着シート１４９で捕獲される。
このように、特許文献１では、ファン１５２で吸引される気流１５４を利用することで虫の捕獲性能が改善された。
【０００９】
しかし、紫外線光源１４３からの紫外光Ｌ２を反射層１４８で反射させて導光フィルム１４４を通過させている。この導光フィルム１４４を通過した紫外光Ｌ２で虫４３を誘引し、孔部１４６から引き入れる方式なので、虫４３の誘引に利用できる紫外光Ｌ２の量が減少し、大空間では虫４３を誘引しにくい。
【特許文献１】特開２００７−２８９０５３号公報
【発明の開示】
【発明が解決しようとする課題】
【００１０】
本発明は、上記事実に鑑み、大きな空間で効率よく虫を捕獲することを目的とする。
【課題を解決するための手段】
【００１１】
請求項１に記載の発明に係る捕虫装置は、光を発する面状発光体と、前記面状発光体の発光面の裏面側に設けられた通風路と、前記面状発光体に設けられ、前記面状発光体の発光面から前記通風路へ虫を引き入れる吸引口と、前記通風路から空気を吸引する吸引手段と、前記吸引手段で吸引された前記空気を通過させ、前記虫を捕獲する捕獲手段と、を有することを特徴としている。
【００１２】
請求項1に記載の発明によれば、面状発光体が光を発する。この面状発光体の発光面には吸引口が設けられ、発光面に誘引された虫を、吸引口から通風路へ吸引手段が吸引する空気で虫を引き入れる。この引き入れられた虫を捕獲手段で捕獲する。
【００１３】
このように、外部に露出した面状発光体が光を出す構成とすることで、大きな空間でも発光している面が、虫に大きく見える。
【００１４】
また、面状発光体の発光面に、発光面から通風路へ虫を引き入れる吸引口を設けてあり、面状発光体に誘引された虫を、面状発光体の面上で直接捕獲できる。これにより、従来、光源と吸引口が離れていたことによる捕りこぼしが防げる。
【００１５】
また、捕虫装置を、例えば荷受室に複数設けられた出入口を開閉するシャッターとシャッターの内壁面に取り付ければ、荷受時に出入口へ飛来した虫を、荷受の段階で捕獲できる。
このとき、内壁面から室内に向けて発光させることで、外に向けて光が漏れることはなく、発光面積を広くしても、捕虫装置の光で外から新たな虫を誘引するという問題は生じない。
【００１６】
請求項２に記載の発明に係る、請求項１に記載の捕虫装置は、前記面状発光体は、光透過性を有する導光板と、前記導光板の端面に取付けられた光源と、を有することを特徴としている。
【００１７】
請求項２に記載の発明によれば、導光板の端面に光源を取付け、導光板を側面から照射し、発光させている。
これにより、反射光でなく、直接に面状発光体から光を発光させることができるので、効率よく、面状発光体が発光する。
請求項３に記載の発明は、請求項２に記載の捕虫装置において、前記導光板の裏面側に反射シートを取付けたことを特徴としている。
これにより、裏面側に向かう光を発光面側へ向けることができ、効率よく発光面を明るくできる。
【００１８】
請求項４に記載の発明は、請求項１に記載の捕虫装置において、前記面状発光体は、電圧をかけると発光する発光性物質で前記発光面を成形した発光パネルであることを特徴としている。
請求項４に記載の発明によれば、発光パネルの発光面が発光性物質で成形されている。
これにより、自家発光形式なので、装置をコンパクトに設計できる。 
【００１９】
請求項５に記載の発明は、請求項４に記載の捕虫装置において、前記発光パネルの裏面側に、反射シートを取付けたことを特徴としている。
請求項５に記載の発明によれば、反射シートが発光パネルの裏面側に設けられている。
これにより、裏面側に向かう光を発光面側へ向けることができ、効率よく発光面を明るくできる。
【００２０】
請求項６に記載の発明は、請求項１〜５のいずれか１項に記載の捕虫装置において、前記面状発光体は、紫外光領域の波長で発光する紫外光と、可視光領域の波長で発光する可視光と、を発することを特徴としている。
【００２１】
請求項６に記載の発明によれば、面状発光体が、紫外光領域と可視光領域の２つの波長領域で発光する。
これにより、１つの波長領域のみの光源に比べ、誘引できる虫の種類を増やし、昼夜を問わず捕獲性能を高くできる。
なお、２つの光源部は、同時に発光させて２種類の光を混在させてもよいし、時間帯により発光時間を分けて、別々に発光させてもよい。
【００２２】
請求項７に記載の発明は、請求項１〜６のいずれか１項に記載の捕虫装置において、前記吸引口は前記面状発光体を貫通する長穴であることを特徴としている。
請求項７に記載の発明によれば、面状発光体には吸引口となる長穴が開けられている。
このため、長穴の周囲が発光面となるので、光が散乱して虫は長穴に気付かずに、長穴に近づいて吸引される。
【００２３】
請求項８に記載の発明は、請求項１〜６のいずれか１項に記載の捕虫装置において、前記吸引口は、前記面状発光体を並べて形成した隙間であることを特徴としている。
請求項８に記載の発明によれば、面状発光体を並べて形成した隙間が吸引口とされている。
これにより、面状発光体の発光面に吸引口を加工する手間が不要となり、面状発光体の製造が容易となる。
【００２４】
請求項９に記載の発明は、請求項１〜８のいずれか１項に記載の捕虫装置において、前記通風路は、一面に前記面状発光体が取付けられた筒体であることを特徴としている。
請求項９に記載の発明によれば、一面に面状発光体が取付けられた筒体が通風路とされている。
これにより、面状発光体に設けた吸引口から通風路へ、容易に虫を引き入れることができる。
【００２５】
請求項１０に記載の発明は、請求項１〜８のいずれか１項に記載の捕虫装置において、前記通風路は、前記面状発光体を筒状として形成された前記筒体の内側であることを特徴としている。
請求項１０に記載の発明によれば、筒状に形成された面状発光体の内側が通風路とされている。
これにより、全方位を発光面とすることができ、単位設置面積当りの虫の誘引効率が高くなる。
【発明の効果】
【００２６】
本発明は、上記構成としてあるので、大きな空間で効率よく虫を捕獲できる。
【発明を実施するための最良の形態】
【００２７】
（第１の実施の形態）
【００２８】
図１に示すように、第１の実施の形態に係る捕虫装置１０は、光を発する面状発光体２４を有している。
面状発光体２４は、平板状に成形され短辺側を上下に配置した導光板１２と、導光板１２の上側の端面１２Ｅに取付けられた光源１６とを有している。光源１６は導光板１２の端面１２Ｅを照射して、導光板１２の表面１２Ｓを発光（発光面）させる。
【００２９】
導光板１２には、発光面１２Ｓから裏面１２Ｂへ貫通する複数の長孔１４が設けられている。長孔１４は、長辺と平行に幅ｄで開口されている。
導光板１２は、例えばアクリル板やポリカーボネート板等の、光透過性能を有する材料で成形されている。
【００３０】
光源１６は、虫４３（ユスリカや小型のハエ類などの飛来昆虫類）を誘引する紫外光領域の波長（約２５０ｎｍ〜約４１０ｎｍ）で発光する光源であり、例えば冷陰極管やＬＥＤを使用している。
【００３１】
このように、導光板１２を使用することで、平面全体を広く発光面１２とすることができ、広い空間に配置されても紫外光の視認性を高めることができる。また、反射光でなく、直接に発光面１２Sから紫外光を発光させるので、紫外光の透過損失を減らし、効率良く虫４３を誘引できる。
【００３２】
図２（Ａ）に示すように、光源１６の周囲及び導光板１２の裏面１２Ｂには、紫外光を反射する反射シート１８が取り付けられている。この反射シート１８により、光源１６から導光板１２の端面１２Ｅ以外の方向へ向かう紫外光を、導光板１２の端面１２Ｅの方向へ向け、また、導光板１２の裏面１２Ｂに向かう紫外光を発光面１２Ｓ側へ向ける。これにより、効率よく発光面１２Ｓから紫外線を照射できる。
【００３３】
図１、図２（Ｂ）に示すように、導光板１２は、長方形状の箱体２２の開口に取り付けられ、裏面１２Ｂ側が通風路２０とされている。
【００３４】
これにより、長孔１４は、発光面１２Ｓから通風路２０へ空気Ｖ１を吸引する吸引口とされ、長孔１４の幅ｄは、発光面１２Ｓに誘引された虫４３を引き入れることができる幅とされている。
【００３５】
箱体２２の下部には、後述する吸引ファン２６と捕獲袋２８が収納される収納室２９が設けられている。
【００３６】
収納室２９と通風路２０を仕切る仕切り板３１には、通風路２０から空気Ｖ２を吸引し、収納室２９の側面に設けられた排出口２３から空気Ｖ３を吐出する、吸引ファン２６が取り付けられている。
【００３７】
収納室２９の内部で吸引ファン２６の吐出側には、吸引ファン２６で吸引された空気Ｖ２を通過させ、長孔１４から空気と共に吸引された虫４３を捕獲する、捕獲袋２８が取付けられている。
【００３８】
また、図３（Ａ）に示すように、捕獲袋２８の入口には、捕獲された虫４３が捕獲袋２８から逃げ出さないように、入口を開閉するダンパー装置３０が取付けられている。
ダンパー装置３０は、筒状に形成され外周面に捕獲袋２８の入口部を取付ける筒体３２と、空気の圧力で、筒体３２の開口部３２Ａを自動的に開閉する風圧ダンパー３４とを有している。
【００３９】
風圧ダンパー３４は、開口部３２Ａを遮蔽する遮蔽部３４Ａと、端部に重りが取付けられた重り部３４Ｂと、角度θで遮蔽部３４Ａと重り部３４Ｂの境界を折り曲げた折り曲げ部３５と、を有している。
【００４０】
重り部３４Ｂには、自重で遮蔽部３４Ａを開口部３２Ａに押し当てるための重り３６が取付けられている。
また、折り曲げ部３５にはピン穴（図示せず）が開けられ、筒体３２の閉塞部３２Ｂに取付けられたピン３８が挿入されている。
【００４１】
このような構成とすることにより、風圧ダンパー３４はピン３８で支持され、ピン３８を中心に角度θだけ回転できる。例えば、吸引ファン２６が運転しているときは、破線で示すように、吸引ファン２６が吐出する空気の圧力で、遮蔽部３４Ａが角度θだけ押し下げられ、押し下げられた空間を通り、空気と虫４３が捕獲袋２８に導かれる。
【００４２】
一方、吸引ファン２６が停止しているときには、実線で示すように、重り３６により遮蔽部３４Ａで開口部３２Ａが閉じられ、捕獲された虫５３が、開口部３２Ａから逃げるのを防ぐ。
【００４３】
以上説明したように、捕虫装置１０は、外部に露出した発光面１２Ｓが紫外光を出す構成とされており、大きな空間でも発光面１２Ｓの視認性を確保できる。発光面１２Ｓからの紫外光に誘引された虫４３は、発光面１２Ｓの位置で長孔１４から通風路２０へ引き入れられ、通風路２０を経由して捕獲袋２８で捕獲される。また、捕獲された虫４３を風圧ダンパー３４で閉じ込めるため、逃がすことはない。
【００４４】
これにより、大きな空間で効率よく虫４３を捕獲できる。
なお、図３（Ｂ）に示すように、捕獲した虫４３が捕獲袋２８から逃げるのを防ぐ手段として、漏斗３７を使用した漏斗装置３３でもよい。
【００４５】
即ち、漏斗装置３３は、円筒部３９と、円筒部３９の内部に設けられた漏斗３７を有しており、漏斗３７の外周面には捕獲袋２８が取付けられている。
【００４６】
漏斗３７は、開口面積が広い入口側を円筒部３９の上端部に接合してあり、出口に向けて徐々に面積が狭くなっている。このとき、漏斗３７の出口は捕獲袋２８の内部に挿入されている。
【００４７】
円筒部３９の上端部は、吸引ファン２６の吐出口に取付けられ、吸引ファン２６から吐出される空気は狭められながら捕獲袋２８に導かれる。
【００４８】
この構成により、吸引ファン２６が停止しても、漏斗３７の先端を細くしているため捕獲袋２８の中から虫４３が逃げるのを防止できる。
次に、捕虫装置１０の設置例について説明する。
図４に示すように、捕虫装置１０が食品製造施設の荷受室４０の壁面４５に取付けられている。
【００４９】
荷受室４０の壁面４５には、トラックの荷台４２の後扉から荷受するための開口部１３６が開けられている。開口部１３６は、荷受が終了した後はシャッター４４で閉じられている。
【００５０】
壁面４５には、開口部１３６が複数ヶ所設けられ、シャッター４４とシャッター４４の間の壁面の内側に、捕虫装置１０が発光面１２Ｓを室内側に向けて壁４５に埋め込まれている。
【００５１】
このような構成において、荷受のためシャッター４４を開放しているとき、開口部１３６とトラックの荷台４２との隙間を通って、虫４３が荷受室４０に侵入する。捕虫装置１０は、虫４３の侵入場所の直ぐ近くに配置してあり、荷受の段階で虫４３を捕獲できる。
【００５２】
また、捕虫装置１０の発光面１２Ｓを室内に向けて取付けてあり、外に向けて紫外光が漏れることはない。これにより、発光面１２Ｓが広くても、捕虫装置１０からの紫外光で、外から新たな虫４３を誘引することがない。
【００５３】
次に、虫４３の捕獲効果の比較実験例について説明する。
実験は、紫外光で誘引された虫を粘着紙で捕獲する従来の粘着紙方式と、紫外光で誘引された虫を吸引ファン２６で吸引し捕獲袋２８で捕獲する吸引方式との捕獲効果の優劣の把握を目的とした。
【００５４】
実験装置は、粘着紙方式は、一般的に広く使用されている捕獲装置をそのまま使用した。具体的には、光源は紫外光を発する２０Ｗの蛍光灯で、光源の近くに粘着紙が設けられている。
【００５５】
一方、吸引方式の捕虫装置は試作機とした。光源は、粘着紙方式と虫の誘引力を同じにするため、紫外光を発する１０Ｗの蛍光灯を２本並べて使用した。光源の下方約２０ｃｍの位置に吸引ファン（径８０ｍｍ）を取り付け、２本の蛍光灯の周囲の空気を下方に吸引する構成とした。また、吸引ファンの吐出口には不織布製の捕獲袋を配置した。このとき、吸引ファンの吸引口の位置における風速は、約１．１ｍ／秒であった。
【００５６】
実験方法は、実験用の同じ建物内に、粘着式捕獲装置と吸引式捕虫装置を、距離を離して設置した。夕方６時から翌朝６時までの時間帯を捕獲時間とし、それぞれの捕獲装置を連続運転させた。
【００５７】
このとき、建物の屋外に面した壁面に設けたシャッター４４は、１５分毎に自動的に開放させ、１５秒間だけ開放状態を維持した後閉じさせた。この動きを獲得時間の間繰り返した。また、同じ実験を２晩（２回）行った。
【００５８】
図５に示すように、実験結果は、捕獲した虫４３の数で比較すると、吸引式捕虫装置の方が多く、１回目が粘着式捕虫装置の１．８倍、２回目が２．７倍であった。平均すると２．３倍となり、吸引式捕虫装置の優位性が証明された。
【００５９】
（第２の実施の形態）
図６（Ａ）に示すように、第２の実施の形態に係る捕虫装置４６は、光源１６を導光板１２の上端１２Ｕの端面と下端１２Ｄの端面に設けている。他は、第１の実施の形態と同じ構成である。
【００６０】
光源１６で導光板１２を上端１２Ｕと下端１２Ｄから照射することで、発光面１２Ｓからの紫外光を多くし、虫４３の誘引効果を高めることができる。
【００６１】
一方、図６（Ｂ）に示す捕虫装置４８は、導光板１２の上端１２Ｕの端面に設けた光源１６は紫外光を発する光源１６であるが、下端１２Ｄの端面に設けた光源５０は、可視光領域の波長で発光する光源としている。
【００６２】
このように、捕虫装置４８は、導光板１２の上端を紫外光の光源１６で、下端を可視光の光源５０で照射している。これにより、１つの波長領域のみの光源で照射する場合に比べ、誘引される虫の種類と量を増やすことができる。
【００６３】
このとき、光源１６と光源５０は、同時に発光させて導光板１２の中で２種類の光を混在させてもよいし、時間帯により光源１６と光源５０の発光時間を分けて、別々に発光させてもよい。
【００６４】
（第３の実施の形態）
図７（Ａ）に示すように、第３の実施の形態に係る捕虫装置５２は、導光板５４の短辺方向と平行に複数の長孔５６を開口させ、導光板５４の長辺側の片方の端部に、光源５８を取付けている。他は、第１の実施の形態と同じ構成である。
【００６５】
長孔５６は、導光板５４の発光面５４Ｓから裏面５４Ｂ（図示せず）に貫通して設けられ、通風路２０（図示せず）に吸引される空気の吸引口とされている。
【００６６】
導光板５４を長辺側から照射することにより、導光板５４内部での紫外光の移動距離を短くできる。これにより、発光面５４Ｓからの紫外光を多くし、虫４３の誘引効果を高めることができる。
【００６７】
また、図７（Ｂ）に示す捕虫装置６０のように、導光板５４の両側の長辺の端部に光源５８を取付けることもできる。
【００６８】
これにより、導光板５４を両側の端部から光源５８で照射でき、発光面５４Ｓからの紫外光を多くし、虫４３の誘引効果を高めることができる。
【００６９】
また、図７（Ｃ）に示す捕虫装置６２のように、導光板５４の長辺側の片方の端部に紫外光の光源５８を取付け、他方の端部に可視光の光源６４を取付けることもできる。
【００７０】
これにより、導光板５４を２つの異なる光源で照射でき、捕獲できる虫の種類と量を増やすことができる。
【００７１】
（第４の実施の形態）
図８（Ａ）に示すように、第４の実施の形態に係る捕虫装置７０は、導光板６６に千鳥状に複数の円形の貫通孔６８を開口させ、導光板６６の長辺側の両方の端部に光源５８を取付けている。他は、第１の実施の形態と同じである。
【００７２】
貫通孔６８は、虫４３を引き込むことのできる径ｄで開口されている。
これにより、光源５８からの紫外光の移動距離を短くし、発光面６６Ｓからの紫外光を多くし、虫４３の誘引効果を高めることができる。
【００７３】
また、図８（Ｂ）に示す捕虫装置７２のように、導光板６６の長辺側の片方の端部に紫外光の光源５８を取付け、導光板５４の長辺側の他方の端部に可視光の光源６４を取付けることもできる。
これにより、導光板６６を光源５８と光源６４で照射でき、捕獲できる虫４３の種類と量を増やすことができる。
【００７４】
（第５の実施の形態）
図９（Ａ）に示すように、第５の実施の形態に係る捕虫装置７４は、２枚の導光板７６Ａと導光板７６Ｂを上下方向に重ね、上側の導光板７６Ａの上側の端部７６Ｕと下側の導光板７６Ｂの下側の端部７６Ｄに光源１６を取付け、更に導光板７６Ａと導光板７６Ｂの重ね合せ部にも光源１６を取付けている。他は、第１の実施の形態と同じである。
【００７５】
導光板７６Ａには、長辺に沿って長穴７８が開口されている。長穴７８は、導光板７６Ａの発光面７６Ｓから裏面７６Ｂ（図示せず）に貫通し、虫４３を引き入れることができる幅ｄで開口されている。また、長穴７８は、発光面７６Ｓから通風路２０へ空気を吸引するときの吸引口とされている。導光板７６Ｂも同じ構成である。
【００７６】
このように、導光板７６Ａの端部７６Ｕと導光板７６Ｂの端部７６Ｄから光源１６で照射するのに加え、導光板７６Ａと導光板７６Ｂの重ね合せ部からも光源１６で照射する。これにより、発光面７６Ｓからの紫外光を多くし、虫４３の誘引効果を高めることができる。
【００７７】
また、図９（Ｂ）に示す捕虫装置８０のように、導光板７６Ａと導光板７６Ｂの短辺側の両方の端部に紫外光の光源１６を取付け、導光板７６Ａと導光板７６Ｂの重ね合せ部に可視光の光源５０を取付けてもよい。
これにより、導光板５４を２つの異なる光源で照射でき、捕獲できる虫の種類と量を増やすことができる。
【００７８】
（第６の実施の形態）
図１０（Ａ）に示すように、第６の実施の形態に係る捕虫装置８２は、鉛直方向に平行に並べられた、複数の導光板８４を有している。
【００７９】
導光板８４には長穴を開口していない。導光板８４は、隣り合う導光板８４と幅ｄの隙間８６を開けて並べられ、この幅ｄは虫４３を引き入れることができる幅とされている。また、隙間８６は、導光板８４から通風路２０（図示せず）へ空気を吸引するときの吸引口となる。
【００８０】
また、導光体８４の上側の端面８４Ｕには光源１６が取り付けられ、端面８４Ｕを照射している。他は、第１の実施の形態と同じである。
これにより、導光板８４に長穴を加工する手間が不要となり、導光板８４の製造が容易となる。
【００８１】
また、図１０（Ｂ）に示す捕虫装置８８のように、導光体９０を短辺側（水平方向）に平行に並べてもよい。即ち、長穴の開口されていない導光体９０を、隣り合う導光体９０との隙間９２を幅ｄだけ開けて並べている。このとき、幅ｄは、虫４３が引き込まれる寸法とされ、この幅ｄの隙間９２は、導光板８４から通風路２０（図示せず）へ空気を吸引するときの吸引口となる。
【００８２】
また、光源５８を捕虫装置８８の長辺側に取り付け、光源５８で導光体９０の端部９２Ｅを照射する。
【００８３】
これにより、導光体９０に長穴を加工する手間が不要となり、導光体９０の製造が容易となる。
【００８４】
（第７の実施の形態）
図１１に示すように、第７の実施の形態に係る捕虫装置１００は、導光板１０２を円筒状に成形し、上端の端面１０２Ｕには環状の光源１０１が取り付けられている。
【００８５】
光源１０１は、導光板１０２を端面１０２Ｕから照射し、導光板１０２の外周面を発光させる。このとき、光源１０１の外周面の、導光板１０２の端面１０２Ｕに面する側以外の部分、及び導光板１０２の内側には、紫外光を反射する反射シート１０８が設けられている。
【００８６】
反射シート１０８により、光源１０１から照射された紫外光を導光板１０２の端面１０２Ｕ側へ向け、導光板１０２の内側に向かう紫外光を、導光板１０２の外側へ向ける。
これにより、導光板１０２の外周からの紫外光を多くできる。
【００８７】
導光板１０２外周には、鉛直方向に開口した複数の長孔１０４が設けられている。長孔１０４の幅ｄは、虫４３を引き込むことができる寸法とされ、吸引ファン２６で空気を吸引するときの吸引口とされている。
【００８８】
また、捕虫装置１００の下部には、導光板１０２の下端を支持する円筒状の収納室１１０が設けられている。
導光板１０２の内側は通風路１０６とされ、通風路１０６の下端と収納室１１０の仕切り部には、吸引ファン２６が設けられている。
【００８９】
また、収納室１１０の内部で吸引ファン２６の吐出側には、捕獲袋２８が取り付けられ、吸引口１０４から引き込んだ虫４３を捕獲する。このとき、空気は収納室１１０の周囲の壁面に設けた吐出口１１２から吐出される。
【００９０】
これにより、虫４３を誘引できる方向性をなくし、広範囲に虫４３を誘引できる。また、全方位を発光面とすることができ、単位設置面積当りの虫４３の誘引効率が上がる。
【００９１】
なお、図１１（Ｃ）に示すように、通風路１０６の吸引口１０４の近くに、吸引口１０４から吸引された空気に旋回を与えるフィン１１４を取り付けてもよい。このとき、フィン１１４を鉛直方向に対し所定の角度で傾斜させておけば、吸引された空気に旋回成分を与えることができる。旋回成分を与えられた空気は、通風路１０６で竜巻状となり、強力に虫４３を、吸引口１０４から引き込むことができる。
【００９２】
（第８の実施の形態）
図１２に示すように、第８の実施の形態に係る捕虫装置１１６は、導光板１２０を円筒状に成形している。
【００９３】
円筒状の導光板１２０の一部には、鉛直方向に、導光板１２０の上端１２０Ｕから下端１２０Ｄに至る切欠部１２０Ｋが設けられ、切欠部１２０Ｋには、紫外光を発生させる直状の光源１１８が取付けられている。
【００９４】
また、導光板１２０の内周面には、反射シート１２１が設けられ、導光板１２０の内側に向かう紫外光を外周面１２０Ｓ側へ向けて反射させる。
これにより、光源１１８で、導光板１２０の切欠部１２０Ｋを照射し、導光板１２０の表面１２０Ｓを発光させることができる。
【００９５】
また、導光板１２０には、複数の長孔１０６が水平方向に設けられ、内側は通風路１０４とされている。長孔１０６は、虫４３を引き込むことができる幅ｄで開口され、通風路１０４に空気を吸引するときの吸引口となる。
【００９６】
捕虫装置１１６の下部には収納室１１０が設けられ、収納室１１０で導光板１２０の下端を支持している。収納室１１０には、後述する吸引ファン２６と捕獲袋２８が収納されている。
【００９７】
通風路１０４と収納室１１０の仕切り部には、通風路１０４の空気Ｖ２を吸引し、収納室１１０に設けられた吐出口１１２から空気Ｖ３を吐出する、吸引ファン２６が取付けられている。また、吸引ファン２６の吐出側には、吸引された虫４３を捕獲する捕獲袋２８が取り付けられている。
【００９８】
これにより、導光板１２０に誘引された虫４３を、吸引口１０６から通風路１０４へ引き入れることができる。吸引された虫４３は、捕獲袋２８で捕獲される。
【００９９】
これにより、虫４３を誘引するときの方向性をなくし、捕虫装置１１６の周囲から虫を誘引できる。また、導光板１２０の裏側に別途通風路を形成する必要がなく、構成が簡素化される。
【０１００】
（第９の実施の形態）
図１３に示すように、第９の実施の形態に係る捕虫装置１２２は、導光板１２４を円柱状に成形している。
【０１０１】
導光板１２４の上側と下側の２ヶ所に収納室１１０を設け、収納室１１０には、吸引ファン２６と捕獲袋２８がそれぞれ設けられている。他の構成は第８の実施の形態と同じである。
【０１０２】
これにより、吸引口１０６の位置における虫４３を吸引する吸引速度を速くすることができ、虫４３をより確実に捕獲できる。
【０１０３】
（第１０の実施の形態）
図１４に示すように、第１０の実施の形態に係る捕虫装置１３０は、発光パネル１３２を有している。
【０１０４】
発光パネル１３２は、表面１３２Ｓを、例えば有機ＥＬ（ＥＬ：エレクトロ・ルミネッセンス）素材や無機ＥＬ素材等の、電圧をかけると発光する発光性物質で成形している。
他の構成は、第１の実施の形態と同じである。
これにより、発光パネル１３２が直接発光するので、装置をコンパクトに設計できる。
【図面の簡単な説明】
【０１０５】
【図１】本発明の第１の実施の形態に係る捕虫装置の基本構成を示す図である。
【図２】本発明の第１の実施の形態に係る捕虫装置の部分詳細を示す図である。
【図３】本発明の第１の実施の形態に係る捕虫装置の逃げ防止手段の基本構成を示す図である。
【図４】本発明の第１の実施の形態に係る捕虫装置の取付け例を示す図である。
【図５】本発明の捕虫装置の捕獲性能の一例を示す図である。
【図６】本発明の第２の実施の形態に係る捕虫装置の基本構成を示す図である。
【図７】本発明の第３の実施の形態に係る捕虫装置の基本構成を示す図である。
【図８】本発明の第４の実施の形態に係る捕虫装置の基本構成を示す図である。
【図９】本発明の第５の実施の形態に係る捕虫装置の基本構成を示す図である。
【図１０】本発明の第６の実施の形態に係る捕虫装置の基本構成を示す図である。
【図１１】本発明の第７の実施の形態に係る捕虫装置の基本構成を示す図である。
【図１２】本発明の第８の実施の形態に係る捕虫装置の基本構成を示す図である。
【図１３】本発明の第９の実施の形態に係る捕虫装置の基本構成を示す図である。
【図１４】本発明の第１０の実施の形態に係る捕虫装置の基本構成を示す図である。
【図１５】従来例の捕虫装置の基本構成を示す図である。
【符号の説明】
【０１０６】
１０  捕虫装置
１２  導光板
１４  吸引口（長孔）
１６  光源（紫外光）
１８  反射シート
２０  通風路
２２  箱体
２４  面状発光体
２６  吸引ファン（吸引手段）
２８  捕獲袋（捕獲手段）
５０  光源（可視光）
１０２  導光板（筒体）
１３２  導光板（発光パネル）
【図１】
0005117922.tif 000002
【図２】
0005117922.tif 000003
【図３】
0005117922.tif 000004
【図４】
0005117922.tif 000005
【図５】
0005117922.tif 000006
【図６】
0005117922.tif 000007
【図７】
0005117922.tif 000008
【図８】
0005117922.tif 000009
【図９】
0005117922.tif 000010
【図１０】
0005117922.tif 000011
【図１１】
0005117922.tif 000012
【図１２】
0005117922.tif 000013
【図１３】
0005117922.tif 000014
【図１４】
0005117922.tif 000015
【図１５】
0005117922.tif 000016